(57)【要約】【課題】虫が屋内に侵入しにくいシャッタ装置、及びそれを備えた建物を提供する。【解決手段】建物１の開口部２ａを開閉するシャッタカーテン１１と、開口部２ａを開閉する防虫ネット２１とを備える。そして特に、防虫ネット２１は、シャッタカーテン１１に連結され、シャッタカーテン１１の開閉作動に連動して開閉作動し、開口部２ａのうちシャッタカーテン１１により閉塞されていない部分を閉塞する。これによれば、シャッタカーテン１１を開閉操作するにあたり、シャッタカーテン１１および防虫ネット２１の少なくとも一方により開口部２ａを常時閉塞した状態にすることができるので、その操作時に虫が屋内に侵入することを困難にできる。【選択図】図２
2008202329.tif 000002
【特許請求の範囲】
【請求項１】
建物の開口部を開閉するシャッタカーテンの両端部をガイドする一対のガイドレールを備えたシャッタ装置に取り付けられる防虫ネット装置であって、
前記両ガイドレールに両端部がガイドされるとともに前記開口部を開閉する防虫ネットと、
前記防虫ネットを収納する防虫ネット収納部と、
を備え、
前記防虫ネット収納部は、前記防虫ネットが引き出される引出口を有することを特徴とする防虫ネット装置。
【請求項２】
前記引出口は、前記両ガイドレールを結ぶ直線上に位置することを特徴とする請求項１に記載の防虫ネット装置。
【請求項３】
前記シャッタカーテンの開閉作動方向が上下方向である前記シャッタ装置に取り付けられる防虫ネット装置であって、
前記防虫ネットの上端には、前記シャッタカーテンの下端と係合して連結する上端側係合手段が備えられ、
前記防虫ネット収納部は、全閉位置に作動した前記防虫ネットに対して下方に配置されるとともに、前記開口部の下辺を形成する部材に取り付け可能に構成されていることを特徴とする請求項１又は２に記載の防虫ネット装置。
【請求項４】
前記防虫ネット収納部の内部に配置され、前記防虫ネットを巻き取る巻取ドラムを備え、
前記防虫ネット収納部には、前記開口部に対して垂直な方向に前記防虫ネットを押し付ける弾性部材が設けられていることを特徴とする請求項１乃至３のいずれかに記載の防虫ネット装置。
【請求項５】
建物の開口部を開閉するシャッタカーテンと、
前記開口部を開閉する防虫ネットと、
を備え、
前記防虫ネットは、前記シャッタカーテンに連結され、前記シャッタカーテンの開閉作動に連動して開閉作動し、前記開口部のうち前記シャッタカーテンにより閉塞されていない部分を閉塞することを特徴とするシャッタ装置。
【請求項６】
前記シャッタカーテンの開閉作動方向に延び、前記シャッタカーテンの両端部をガイドするガイドレールを備え、
前記ガイドレールは、前記防虫ネットの両端部をガイドするガイドレールを兼用することを特徴とする請求項５に記載のシャッタ装置。
【請求項７】
前記防虫ネットを収納する防虫ネット収納部を備えることを特徴とする請求項５又は６に記載のシャッタ装置。
【請求項８】
前記シャッタカーテンおよび前記防虫ネットの開閉作動方向は上下方向であることを特徴とする請求項７に記載のシャッタ装置。
【請求項９】
前記防虫ネットは前記シャッタカーテンの下方に配置され、
前記防虫ネット収納部は、全閉位置に作動した前記防虫ネットに対して下方に配置されていることを特徴とする請求項８に記載のシャッタ装置。
【請求項１０】
前記防虫ネットの上端と前記シャッタカーテンとを脱着可能に係合させる上端側係合手段を備えることを特徴とする請求項９に記載のシャッタ装置。
【請求項１１】
前記シャッタカーテンの下端には、屋内側から屋外側に延出する延出部が設けられており、
前記防虫ネット収納部は、前記防虫ネットが引き出される引出口を有し、
前記延出部は、前記シャッタカーテンが全閉位置に作動したときに前記引出口を閉塞することを特徴とする請求項９又は１０に記載のシャッタ装置。
【請求項１２】
前記防虫ネットは前記シャッタカーテンの下方に配置され、
前記防虫ネット収納部は前記シャッタカーテンの下端に取り付けられ、
前記防虫ネットは前記防虫ネット収納部を介して前記シャッタカーテンに連結されていることを特徴とする請求項８に記載のシャッタ装置。
【請求項１３】
前記シャッタカーテンを収納するシャッタカーテン収納部を備え、
前記シャッタカーテン収納部は、前記シャッタカーテンが全開位置に作動したときに前記防虫ネット収納部の少なくとも一部を内部に収容する収容部を有し、
前記収容部は前記開口部よりも上方に配置されていることを特徴とする請求項１２に記載のシャッタ装置。
【請求項１４】
前記防虫ネットの下端と前記開口部の下辺を形成する部材とを脱着可能に係合させる下端側係合手段を備えることを特徴とする請求項１２又は１３に記載のシャッタ装置。
【請求項１５】
前記防虫ネット収納部の内部に配置され、前記防虫ネットを巻き取る巻取ドラムを備え、
前記防虫ネット収納部には、前記開口部に対して垂直な方向に前記防虫ネットを押し付ける弾性部材が設けられていることを特徴とする請求項７乃至１４のいずれかに記載のシャッタ装置。
【請求項１６】
前記防虫ネット収納部に向けて前記防虫ネットを付勢する付勢手段を備えることを特徴とする請求項７乃至１５のいずれかに記載のシャッタ装置。
【請求項１７】
建物の開口部を開閉するシャッタカーテンと、
前記開口部を開閉する防虫ネットと、
前記シャッタカーテンの開閉作動方向に延び、前記シャッタカーテンの両端部をガイドするガイドレールと、
を備え、
前記ガイドレールは、前記防虫ネットの両端部をガイドするガイドレールを兼用することを特徴とするシャッタ装置。
【請求項１８】
建物の開口部を開閉するシャッタカーテンの両端部をガイドする一対のガイドレールを備えたシャッタ装置と、
前記シャッタ装置に取り付けられた請求項１乃至４のいずれかに記載の防虫ネット装置と、
前記防虫ネット装置の前記防虫ネットにより開閉される開口部が形成された壁体と、
を備えることを特徴とする建物。
【請求項１９】
請求項５乃至１７のいずれかに記載のシャッタ装置と、
前記シャッタ装置の前記シャッタカーテンにより開閉される開口部が形成された壁体と、
を備えることを特徴とする建物。
【発明の詳細な説明】
【技術分野】
【０００１】
本発明は、建物の開口部を開閉する防虫ネット装置、シャッタ装置及びそれを備えた建物に関するものである。
【背景技術】
【０００２】
住宅等の建物において、窓部等の開口部を開閉するシャッタカーテンの構造が特許文献１等に記載されており、防虫ネットの構造が特許文献２等に記載されている。そして、シャッタカーテン及び防虫ネットが同一の開口部に備えられている場合、防虫ネットの位置はシャッタカーテンの屋内側であるのが一般的である。
【特許文献１】特開平１１−１６６３７９号公報
【特許文献２】特開平７−１５８３５２号公報
【発明の開示】
【発明が解決しようとする課題】
【０００３】
しかしながら、上記従来の防虫ネットは、既設のシャッタカーテンを有する建物に対して後付けすることを想定した構造になっていない。よって、このような建物に防虫ネットを後付けしようとすると、シャッタカーテンの両端部をガイドするガイドレールとは別に、防虫ネットの両端部をガイドするガイドレールが必要となる。そのため、防虫ネットを後付けすることは煩雑な施工を要する。
【０００４】
また、防虫ネットがシャッタカーテンの屋内側に位置する従来構造では、シャッタカーテンを手で開閉操作する際に防虫ネットを開けた状態で操作しなければならないので、その操作時に屋外の虫が屋内に侵入し易い。
【０００５】
本発明は、建物に既に取り付けられている既設のシャッタ装置に対して後付けするのに好適な防虫ネット装置を提供することを主たる目的とするものである。
【０００６】
また、本発明は、虫が屋内に侵入しにくいシャッタ装置を提供することを他の目的とするものである。
【０００７】
また、本発明は、美観に優れたシャッタ装置、防虫ネット装置及びそれを備えた建物を提供することを他の目的とするものである。
【課題を解決するための手段】
【０００８】
以下、上記課題を解決するのに有効な手段等につき、必要に応じて作用、効果等を示しつつ説明する。
【０００９】
本発明における防虫ネット装置は、建物の開口部を開閉するシャッタカーテンの両端部をガイドする一対のガイドレールを備えたシャッタ装置に取り付けられる防虫ネット装置であって、両ガイドレールに両端部がガイドされるとともに開口部を開閉する防虫ネットと、防虫ネットを収納する防虫ネット収納部と、を備え、防虫ネット収納部は、両ガイドレールを結ぶ直線上に防虫ネットが引き出される引出口を有する。
【００１０】
これによれば、以上説明したシャッタ装置を、建物に既に取り付けられている既設のシャッタ装置に対して後付けして構築するのに好適である。
【００１１】
また、引出口は、両ガイドレールを結ぶ直線上に位置することが好ましい。
【００１２】
また、シャッタカーテンの開閉作動方向が上下方向であるシャッタ装置に取り付けられる防虫ネット装置であって、防虫ネットの上端には、シャッタカーテンの下端と係合して連結する上端側係合手段が備えられ、防虫ネット収納部は、全閉位置に作動した防虫ネットに対して下方に配置されるとともに、開口部の下辺を形成する部材に取り付け可能に構成されていることが好ましい。
【００１３】
また、防虫ネット収納部の内部に配置され、防虫ネットを巻き取る巻取ドラムを備え、防虫ネット収納部には、開口部に対して垂直な方向に防虫ネットを押し付ける弾性部材が設けられていることが好ましい。この構成によれば、開口部に対して垂直な方向に防虫ネットが揺れ動くことを抑制できるので、防虫ネットが皺を有した状態で巻取ドラムに巻き取られてしまうことを抑制できる。
【００１４】
また、本発明におけるシャッタ装置は、建物の開口部を開閉するシャッタカーテンと、開口部を開閉する防虫ネットとを備える。そして特に、防虫ネットは、シャッタカーテンに連結され、シャッタカーテンの開閉作動に連動して開閉作動し、開口部のうちシャッタカーテンにより閉塞されていない部分を閉塞する。
【００１５】
上記構成によれば、シャッタカーテンを手で開閉操作する際に、シャッタカーテンの開閉作動に連動して防虫ネットも開閉作動して、シャッタカーテンにより閉塞されていない部分が防虫ネットにより閉塞される。そのため、シャッタカーテンを開閉操作するにあたり、シャッタカーテンおよび防虫ネットの少なくとも一方により開口部を常時閉塞した状態にすることができるので、その操作時に虫が屋内に侵入することを困難にできる。
【００１６】
ここで、開閉作動するシャッタカーテンの端部をガイドするガイドレールを備え、ガイドレールは、開閉作動する防虫ネットの端部をガイドするガイドレールを兼用することが好ましい。これによれば、シャッタカーテン面と防虫ネット面とを同一面上に配置して美観に優れたシャッタ装置にすることを、防虫ネットのガイドレールとシャッタカーテンのガイドレールとを別々に備えた場合に比べて容易に実現できる。また、シャッタカーテンおよび防虫ネットは開閉作動方向に並んで配置されることとなるため、シャッタカーテンおよび防虫ネットを開閉作動方向に対して垂直な方向に積層配置した場合に比べて、全体として前記垂直な方向の厚みを小さくできる。
【００１７】
また、防虫ネットを収納する防虫ネット収納部を備えることが好ましい。
【００１８】
また、シャッタカーテンおよび防虫ネットの開閉作動方向を上下方向にすれば、既設のシャッタカーテンに防虫ネット収納部および防虫ネットを取り付けることを容易に実現でき、好適である。
【００１９】
また、防虫ネットはシャッタカーテンの下方に配置され、防虫ネット収納部は、全閉位置に作動した防虫ネットに対して下方に配置されていることが好ましい。
【００２０】
また、防虫ネットの上端とシャッタカーテンとを脱着可能に係合させる上端側係合手段を備えることが好ましい。この構成によれば、シャッタカーテンから防虫ネットを取り外して防虫ネット収納部に収納させることができるので、防虫ネットが不要である場合の防虫ネットの取り外し作業および収納作業を簡単にできる。
【００２１】
また、シャッタカーテンには、屋内側から屋外側に延出する延出部が設けられており、防虫ネット収納部は、防虫ネットが引き出される引出口を有し、延出部は、シャッタカーテンが全閉位置に作動したときに引出口を閉塞することが好ましい。これによれば、シャッタカーテンの延出部が引出口を閉塞するので、引出口を閉塞するための専用のカバーを不要にできる。
【００２２】
また、防虫ネットはシャッタカーテンの下方に配置され、防虫ネット収納部はシャッタカーテンの下端に取り付けられ、防虫ネットは防虫ネット収納部を介してシャッタカーテンに連結されていることが好ましい。これによれば、防虫ネットは防虫ネット収納部の下方に位置することとなる。よって、例えば、防虫ネット収納部が、防虫ネットが引き出される引出口を有する構成の場合には、引出口は下方に向けて開口することとなる。よって、引出口から防虫ネット収納部内部に雨水が浸入することを抑制できる。
【００２３】
また、シャッタカーテンを収納するシャッタカーテン収納部を備え、シャッタカーテン収納部は、シャッタカーテンが全開位置に作動したときに防虫ネット収納部を内部に収容する収容部を有し、収容部は開口部よりも上方に配置されていることが好ましい。これによれば、シャッタカーテンを全開位置に作動させたときに、シャッタカーテンの下端に取り付けられた防虫ネット収納部は収容部に収容されるので、防虫ネット収納部が露出してしまうことを回避できる。しかも、収容部に収容された状態の防虫ネット収納部は開口部の上方に位置することとなるので、収容した防虫ネット収納部が開口部の一部を塞いでしまうことを防止できる。
【００２４】
また、防虫ネットの下端と開口部を形成する部材とを脱着可能に係合させる下端側係合手段を備えることが好ましい。この構成によれば、シャッタカーテンから防虫ネットを取り外して防虫ネット収納部に収納させることができるので、防虫ネットが不要である場合の防虫ネットの取り外し作業および収納作業を簡単にできる。
【００２５】
また、防虫ネット収納部の内部に配置され、防虫ネットを巻き取る巻取ドラムを備え、防虫ネット収納部には、開口部に対して垂直な方向に防虫ネットを押し付ける弾性部材が設けられていることが好ましい。この構成によれば、開口部に対して垂直な方向に防虫ネットが揺れ動くことを抑制できるので、防虫ネットが皺を有した状態で巻取ドラムに巻き取られてしまうことを抑制できる。
【００２６】
また、防虫ネット収納部に向けて防虫ネットを付勢する付勢手段を備えることが好ましい。そのため、シャッタカーテンを閉塞する向きに作動させたときに、防虫ネット収納部へ防虫ネットが自動的に収納されるようにできる。
【００２７】
また、本発明におけるシャッタ装置は、シャッタカーテン収納部に収納可能に設けられ、建物の開口部を開閉するシャッタカーテンと、防虫ネット収納部に収納可能に設けられ、開口部を開閉する防虫ネットと、シャッタカーテンの開閉作動方向に延び、シャッタカーテンの両端部をガイドするガイドレールとを備える。そして特に、ガイドレールは、防虫ネットの両端部をガイドするガイドレールを兼用する。
【００２８】
これによれば、シャッタカーテン面と防虫ネット面とを同一面上に配置して美観に優れたシャッタ装置にすることを、防虫ネットのガイドレールとシャッタカーテンのガイドレールとを別々に備えた場合に比べて容易に実現できる。
【００２９】
また、ガイドレールおよびシャッタカーテンは開閉作動方向に並んで配置されることとなるため、開閉作動方向に対して垂直な方向に積層配置した場合に比べて、全体として前記垂直な方向の厚みを小さくできる。
【００３０】
ここで、建物の開口部を開閉するシャッタカーテンの両端部をガイドする一対のガイドレールを備えたシャッタ装置と、シャッタ装置に取り付けられた防虫ネット装置と、防虫ネット装置の防虫ネットにより開閉される開口部が形成された壁体と、を備えた建物とした場合、上記各効果を建物においても享受することができる。
【００３１】
また、シャッタ装置と、シャッタ装置のシャッタカーテンにより開閉される開口部が形成された壁体と、を備えた建物とした場合、上記各効果を建物においても享受することができる。
【発明を実施するための最良の形態】
【００３２】
［第１の実施形態］
以下、本発明を具体化した第１の実施形態を図面に基づいて説明する。本実施形態では、住宅等の建物において窓部の屋外側に手動式のシャッタ装置を設置している。図１は、シャッタ装置１０単体を示す斜視図であり、図２は、シャッタ装置１０が建物１に取り付けられた状態を示す概略図である。
【００３３】
建物１の壁体２（外壁）には屋内外を連通する開口部２ａが形成されており、開口部２ａの内周面に沿って枠形状のサッシ３が配置されている。サッシ３は、壁体２に固定された開口フレーム４にビスで締結されている。サッシ３のレール部３ａには、枠体にガラス板を嵌め込んで構成された障子５が組み付けられている。障子５に対して屋外側にはシャッタ装置１０が配置されている。因みに、図２に示す障子５は、左右に開閉作動させる引き違いタイプ又は両引きタイプである。
【００３４】
次に、本実施形態の要部であるシャッタ装置１０の構成について、詳細に説明する。
【００３５】
シャッタ装置１０は、上下方向に開閉作動して開口部２ａを開閉するシャッタカーテン１１と、シャッタカーテン１１を収納するシャッタ収納ケース１２（シャッタカーテン収納部）とを備える。シャッタカーテン１１は、左右方向に延びる多数のスラット１１ａを上下に連結して構成されている。多数のスラット１１ａは、上下に隣接するスラット同士の一部が互いに係合される構成となっており、スラット１１ａ間の互いの係合により多数のスラット１１ａが一体的に上昇又は下降する。これにより、シャッタカーテン１１としての開閉動作が実現できるようになっている。
【００３６】
多数のスラット１１ａのうち最上部となるスラットにはシャッタ用巻取ドラム１３が結合されている。そして、シャッタカーテン１１を巻き取る向きに巻取ドラム１３が回転するように、弾性部材としてのコイルスプリング１４の弾性力が巻取ドラム１３に付勢されている。これにより、シャッタカーテン１１を手動で上昇操作するときの操作力低減を図っている。
【００３７】
多数のスラット１１ａのうち最下部となるスラットには、屋内側から屋外側に延出する延出部としての水切り板１５が取り付けられている。この水切り板１５は、左右方向に延びる形状であり、多数のスラット１１ａから流れ落ちる雨水が水切り板１５に到達すると、水切り板１５の延出端側（屋外側）に向けて流れる。そのため、スラット１１ａから流れ落ちた雨水は水切り板１５により屋外側に導かれるので、雨水が屋内側に侵入してしまう恐れを低減できる。
【００３８】
シャッタ収納ケース１２は、壁体２に固定されたブラケット６にビスで締結されており、開口部２ａよりも上方に配置されている。そして、シャッタ収納ケース１２の内部には巻取ドラム１３が備えられており、シャッタ収納ケース１２には、巻取ドラム１３に巻き取られたシャッタカーテン１１が収容される。シャッタカーテン１１および巻取ドラム１３は、シャッタ収納ケース１２に覆われることで雨水等から保護される。
【００３９】
また、シャッタ装置１０は、シャッタカーテン１１の開閉作動方向（上下方向）に延びる一対のガイドレール１６を備えている。ガイドレール１６は互いに向き合う開口部１６ａを有する横断面矩形の形状である。例えば、ガイドレール１６にＣ形鋼を用いて好適である。シャッタカーテン１１の左右両端部は、開口部１６ａからガイドレール１６内部に挿入配置され、シャッタカーテン１１の昇降、下降時にはガイドレール１６によりガイドされる。
【００４０】
また、シャッタ装置１０は、開口部２ａを開閉する防虫ネット２１と、防虫ネット２１を収納する防虫ネット収納ケース２２（防虫ネット収納部）とを備えている。防虫ネット２１および防虫ネット収納ケース２２はユニット化されて防虫ネット装置を構成している。防虫ネット２１は、通気性を有するとともに虫の通過を阻止する大きさの網目に形成されたネットであり、シャッタカーテン１１の下方に配置されている。そして、シャッタカーテン１１および防虫ネット２１は上下方向に並べて配置され、シャッタカーテン１１の外表面と防虫ネット２１の外表面とは同一面上に配置されている。
【００４１】
防虫ネット２１の上端部分は、水切り板１５を介してシャッタカーテン１１に連結されている。連結構造をより具体的に説明すると、水切り板１５には面ファスナ１５ａ（マジックテープ（登録商標））が取り付けられており、防虫ネット２１には面ファスナ１５ａと係合する面ファスナ２１ａが取り付けられている。これらの面ファスナ１５ａ、２１ａは、上端側係合手段を構成し、防虫ネット２１の上端と水切り板１５とを脱着可能に係合させている。
【００４２】
防虫ネット２１の下端部分には、防虫ネット用巻取ドラム２３が結合されている。そして、防虫ネット２１を巻き取る向きに巻取ドラム２３が回転するように、弾性部材としてのコイルスプリング２４（付勢手段）の弾性力が巻取ドラム２３に付勢されている。
【００４３】
防虫ネット収納ケース２２は、壁体２或いは開口フレーム４に取り付けられており、開口部２ａよりも下方に配置されている。そして、防虫ネット収納ケース２２の内部には巻取ドラム２３が備えられており、防虫ネット収納ケース２２には、巻取ドラム２３に巻き取られた防虫ネット２１が収容される。防虫ネット２１および巻取ドラム２３は、防虫ネット収納ケース２２に覆われることで雨水等から保護される。
【００４４】
防虫ネット収納ケース２２は、防虫ネット２１が引き出される引出口２２ａを有し、防虫ネット収納ケース２２のうち引出口２２ａの近傍部分には、開口部２ａに対して垂直な方向（図２の左右方向）に防虫ネット２１を押し付ける弾性部材としてのリップ２５が設けられている。引出口２２ａは左右のガイドレール１６を結ぶ直線状に位置するとともに、防虫ネット収納ケース２２の上方部分に位置している。
【００４５】
また、防虫ネット収納ケース２２には、ケース内の水を外部に排出する水抜き穴２２ｂが形成されている。そのため、引出口２２ａから防虫ネット収納ケース２２内に雨水等が侵入したとしても、ケース内の雨水は水抜き穴２２ｂから外部に排出される。
【００４６】
防虫ネット２１の左右両端部は、開口部１６ａからガイドレール１６内部に挿入配置されており、防虫ネット２１の昇降、下降時にはガイドレール１６によりガイドされる。すなわち、シャッタカーテン１１の左右両端部をガイドするガイドレール１６は、防虫ネット２１の左右両端部をガイドするガイドレールを兼用している。
【００４７】
より具体的に説明すると、ガイドレール１６は横断面Ｃ形状であり、開口部１６ａの開口幅は内部空間よりも絞られている。一方、防虫ネット２１の左右両端部には上下方向に延びる図示しないロープが取り付けられている。そして、ロープはガイドレール１６内部空間に配置され、ロープの幅は開口部１６ａの開口幅よりも大きく設定されている。そのため、ロープは、防虫ネット２１の左右両端部が開口部１６ａから抜け出ないようにするための抜け止め部材として機能する。そして、防虫ネット２１が昇降する際にロープがガイドレール１６の内部空間で上下方向にガイドされることにより、防虫ネット２１はガイドレール１６によりガイドされる。
【００４８】
因みに、開口部２ａに対して垂直な方向（図２の左右方向）において、面ファスナ１５ａ、２１ａはガイドレール１６の開口部２ａ内に位置している。また、防虫ネット収納ケース２２のうち引出口２２ａは、図２の左右方向において開口部２ａ内に位置している。
【００４９】
次に、上記構成による作動を説明する。
【００５０】
屋内の操作者が障子５を開け、シャッタカーテン１１を屋内側から操作して図１に示す位置に開閉作動させると、面ファスナ１５ａ、２１ａにより連結された防虫ネット２１はシャッタカーテン１１の開閉作動に連動して開閉作動する。具体的には、シャッタカーテン１１を上昇作動させると、その上昇分だけ、巻取ドラム２３に巻き取られていた防虫ネット２１は引出口２２ａから上方に引き出される。一方、シャッタカーテン１１を下降作動させると、その下降分だけ、防虫ネット２１は巻取ドラム２３に巻き取られる。
【００５１】
そして、図１に示す状態では、開口部２ａのうち上方部分はシャッタカーテン１１により閉塞され、開口部２ａのうちシャッタカーテン１１により閉塞されていない下方部分は防虫ネット２１により閉塞される。また、図３に示すようにシャッタカーテン１１を最も下方まで下降させてシャッタ全閉状態にすると、防虫ネット２１の全てが防虫ネット収納ケース２２内に収納され、開口部２ａの全体はシャッタカーテン１１により閉塞される。一方、シャッタカーテン１１を最も上方まで上昇させてシャッタ全開状態にすると、開口部２ａの全体は防虫ネット２１により閉塞される。
【００５２】
また、このように防虫ネット２１が昇降する際に、防虫ネット２１は、リップ２５により開口部２ａに対して垂直な方向（図２の左右方向）に押し付けられている。また、シャッタカーテン１１および防虫ネット２１が昇降する際に、シャッタカーテン１１の左右両端部および防虫ネット２１のロープがガイドレール１６の内部空間で上下方向にガイドされる。
【００５３】
防虫ネット２１が不要である場合には、面ファスナ１５ａ、２１ａを取り外すことによりシャッタカーテン１１から防虫ネット２１を取り外す。そして、防虫ネット２１を防虫ネット収納ケース２２に収納させる。
【００５４】
以上詳述した本実施形態によれば、防虫ネット２１は、シャッタカーテン１１に連結され、屋内側からシャッタカーテン１１を手で開閉操作する際に、シャッタカーテン１１の開閉作動に連動して防虫ネット２１も開閉作動して、シャッタカーテン１１により閉塞されていない部分が防虫ネット２１により閉塞される。そのため、シャッタカーテン１１を開閉操作するにあたり、シャッタカーテン１１および防虫ネット２１の少なくとも一方により開口部２ａを常時閉塞した状態にすることができるので、その操作時に虫が屋内に侵入することを困難にできる。また、開口部２ａの全体が常時閉塞されるので、障子５を開けたときに虫が屋内に侵入することを困難にできる。
【００５５】
また、本実施形態によれば、シャッタカーテン１１をガイドするガイドレール１６は、防虫ネット２１をガイドするガイドレールを兼用する。そのため、防虫ネット２１専用のガイドレールを備える場合に比べて部品点数を低減できる。また、シャッタカーテン面と防虫ネット面とを同一面上に配置して美観に優れたシャッタ装置１０にすることを、防虫ネット２１のガイドレールとシャッタカーテン１１のガイドレールとを別々に備えた場合に比べて容易に実現できる。また、シャッタカーテン１１および防虫ネット２１は開閉作動方向（上下方向）に並んで配置されるので、シャッタカーテン１１および防虫ネット２１を開閉作動方向に対して垂直な方向（図２の左右方向）に積層配置した場合に比べて、シャッタ装置１０を全体として垂直な方向の厚みを小さくできる。
【００５６】
また、本実施形態によれば、シャッタカーテン１１および防虫ネット２１の開閉作動方向は上下方向であり、建物１が住居用である場合には一般的にシャッタカーテン１１の開閉作動方向は上下方向であるため、住居用建物１に既に設置されている既設のシャッタカーテン１１に防虫ネット収納ケース２２および防虫ネット２１等を取り付けることを容易に実現できる。
【００５７】
また、本実施形態によれば、防虫ネット２１とシャッタカーテン１１とは面ファスナ１５ａ、２１ａにより脱着可能であるため、防虫ネット２１が不要である場合には、シャッタカーテン１１から防虫ネット２１を取り外して防虫ネット収納ケース２２に収納させることを容易にできる。よって、このような場合の防虫ネット２１の取り外し作業および収納作業を簡単にできる。
【００５８】
しかも、従来の網戸の場合には、網戸が不要である場合にはサッシ３のレール部から網戸を取り外さない限り網戸が開口部２ａに位置することとなるのに対し、本実施形態によれば、防虫ネット２１が不要である場合には、防虫ネット２１の全体を防虫ネット収納ケース２２に収納させて、開口部２ａには位置しないようにでき、開放的な空間にすることができる。
【００５９】
また、本実施形態によれば、防虫ネット２１が昇降する際に、防虫ネット２１はリップ２５により開口部２ａに対して垂直な方向（図２の左右方向）に押し付けられる。よって、前記垂直な方向に防虫ネット２１が揺れ動くことを抑制できるので、防虫ネット２１が皺を有した状態で巻取ドラム２３に巻き取られてしまうことを抑制できる。
【００６０】
また、本実施形態によれば、防虫ネット２１を巻き取る向きに巻取ドラム２３を回転させるコイルスプリング２４を備える。そのため、防虫ネット２１は、シャッタカーテン１１を閉塞する向きに作動（下降作動）させたときには巻取ドラム２３に自動的に巻き取られて防虫ネット収納ケース２２内に収納され、シャッタカーテン１１を上昇作動させたときにはシャッタカーテン１１に引っ張られて巻取ドラム２３から引き出される。よって、防虫ネット２１がシャッタカーテン１１に連動して開閉作動することを容易に実現できる。
【００６１】
また、防虫ネット２１および防虫ネット収納ケース２２はユニット化されて防虫ネット装置を構成しており、防虫ネット収納ケース２２は、両ガイドレール１６を結ぶ直線上に引出口２２ａを有している。そのため、建物１に既に取り付けられている既設のシャッタ装置に対して、既設シャッタ装置の下枠とユニット化された防虫ネット装置２１、２２とを取り替えることにより、本実施形態に係るシャッタ装置１０を構築することができる。よって、後付けでシャッタ装置１０を構築することを容易にできる。
【００６２】
［第２の実施形態］
次に、第２の実施形態について上記第１の実施形態との相違点を中心に説明する。なお、以降の各実施形態の説明において第１の実施形態と実質的に同一の構成部分には同一符号を付す。
【００６３】
上記第１の実施形態に係る防虫ネット収納ケース２２は、全閉位置に作動した防虫ネット２１に対して下方に配置されているのに対し、図４および図５に示すように、本実施形態に係る防虫ネット収納ケース２２は、水切り板１５に取り付けられており、シャッタカーテン１１の開閉作動にともなって水切り板１５とともに昇降する。そして、引出口２２ａは防虫ネット収納ケース２２の下方部分に位置しており、防虫ネット２１は引出口２２ａから下方に引き出される。つまり、防虫ネット２１は防虫ネット収納ケース２２を介してシャッタカーテン１１に連結されている。
【００６４】
防虫ネット２１の上端部分には、防虫ネット用巻取ドラム２３が結合されている。そして、防虫ネット２１を巻き取る向きに巻取ドラム２３が回転するように、弾性部材としてのコイルスプリング２４の弾性力が巻取ドラム２３に付勢されている。一方、防虫ネット２１の下端部分は、開口部２ａを形成する開口フレーム部材７と脱着可能に係合されている。この係合構造をより具体的に説明すると、開口フレーム部材７のブラケット部７ａには面ファスナ７ｂが取り付けられており、防虫ネット２１の下端部分には面ファスナ７ｂと係合する面ファスナ２１ａが取り付けられている。これらの面ファスナ７ｂ、２１ａは、下端側係合手段を構成し、防虫ネット２１の下端と開口フレーム部材７とを脱着可能に係合させている。
【００６５】
また、シャッタ収納ケース１２は、シャッタカーテン１１が全開位置に作動したときに防虫ネット収納ケース２２を内部に収容する収容部１２ａを有している。図５中の２点鎖線は、収容部１２ａに収容された状態の防虫ネット収納ケース２２を示しており、収容部１２ａは開口部２ａよりも上方に配置されているため、防虫ネット収納ケース２２は、収容部１２ａに収容された状態において開口部２ａよりも上方に位置することとなる。
【００６６】
次に、上記構成による作動を説明する。
【００６７】
シャッタカーテン１１を開閉作動させると、下端が面ファスナ７ｂ、２１ａにより係合するとともに上端がシャッタカーテン１１に連結された防虫ネット２１は、シャッタカーテン１１の開閉作動に連動して開閉作動する。具体的には、シャッタカーテン１１を上昇作動させると、その上昇分だけ、巻取ドラム２３に巻き取られていた防虫ネット２１は引出口２２ａから下方に引き出される。一方、シャッタカーテン１１を下降作動させると、その下降分だけ、防虫ネット２１は巻取ドラム２３に巻き取られる。また、シャッタカーテン１１を全開位置まで上昇作動させると、シャッタカーテン１１とともに上昇した防虫ネット収納ケース２２は収容部１２ａに収容される。
【００６８】
以上第２の実施形態によれば、シャッタカーテン１１を全開位置に作動させたとき、防虫ネット収納ケース２２は収容部１２ａに収容されるので、防虫ネット収納ケース２２が露出してしまうことを回避できる。しかも、収容部１２ａに収容された状態の防虫ネット収納ケース２２は開口部２ａの上方に位置することとなるので、収容した防虫ネット収納ケース２２が開口部２ａの一部を塞いでしまうことを防止できる。よって、屋内から開口部２ａを通じて屋外を見るにあたり広い視界にできる。
【００６９】
また、防虫ネット２１は引出口２２ａから下方に引き出されることに起因して、引出口２２ａは防虫ネット収納ケース２２の下方部分に位置している。そのため、引出口２２ａから防虫ネット収納ケース２２内部に雨水が浸入することを困難にできる。
【００７０】
［第３の実施形態］
第３の実施形態では、図６に示すように、延出部としての水切り板１５は、シャッタカーテン１１が全閉位置に下降作動したときに、防虫ネット収納ケース２２に形成された引出口２２ａを閉塞するように構成されている。このように、シャッタカーテン１１に設けられた水切り板１５が引出口２２ａを閉塞するので、引出口２２ａを閉塞するための専用のカバーを不要にできる。
【００７１】
また、上記第１の実施形態ではリップ２５は上方に向けて延びるように防虫ネット収納ケース２２に取り付けられているが、本実施形態では、リップ２５は引出口２２ａ内にて延びる向きに取り付けられている。そのため、水切り板１５が引出口２２ａを閉塞する際に水切り板１５とリップ２５とが干渉することを回避できる。よって、リップ２５の耐久性向上を図ることができる。
【００７２】
［第４の実施形態］
上記各実施形態では上端側係合手段として面ファスナ１５ａ、２１ａを採用しているのに対し、本実施形態では、面ファスナ１５ａ、２１ａに替えてフック部材１５ｂ、２１ｂ、２６を係合手段として採用している。
【００７３】
すなわち、図７（ａ）に示す例では、水切り板１５にはシャッタ側フック部材１５ｂが固定され、防虫ネット２１の上端にはネット側フック部材２１ｂが固定されている。そして、両フック部材１５ｂ、２１ｂには単体フック部材２６が係合している。この単体フック部材２６の係合により、シャッタカーテン１１は水切り板１５を介して防虫ネット２１と連結される。この連結を解除する場合には、単体フック部材２６を両フック部材１５ｂ、２１ｂから取り外せばよい。
【００７４】
また、図７（ｂ）に示す例では、単体フック部材２６を廃止して、ネット側フック部材２１ｂをシャッタ側フック部材１５ｂに直接係合するように構成されている。なお、ネット側フック部材２１ｂは、柔軟性を有する連結部材２１ｃを介して防虫ネット２１に取り付けられている。そのため、ネット側フック部材２１ｂをシャッタ側フック部材１５ｂに係合する際に、連結部材２１ｃを変形させながら係合操作ができるので、その操作性を良好にできる。
【００７５】
ここで、防虫ネット２１の左右両端部はガイドレール１６内に位置してガイドされているため、防虫ネット２１の上端部分および下端部分は、開口部２ａに対して垂直な方向（図７の左右方向）に曲がることを規制されている。すると、ネット側フック部材２１ｂをシャッタ側フック部材１５ｂに係合させるにあたり、仮に連結部材２１ｃが柔軟性を有していなければ、ネット側フック部材２１ｂを屋内側（図７の右側）に曲げて係合させることが困難となる。
【００７６】
この点を鑑み、図７（ｂ）に示す例では、ネット側フック部材２１ｂは、柔軟性を有する連結部材２１ｃを介して防虫ネット２１に取り付けられているので、連結部材２１ｃを屋内側に曲げながらネット側フック部材２１ｂをシャッタ側フック部材１５ｂに係合させる作業ができるので、係合の作業性を良好にできる。因みに、連結部材２１ｃはガイドレール１６に挿入させないように構成すれば、連結部材２１ｃを屋内側に曲げることをより一層容易にでき、好適である。
【００７７】
また、図７（ａ）に示す例もこの点を鑑みて構成されており、シャッタカーテン１１および防虫ネット２１には固定されていない単体フック部材２６を用いて両フック部材１５ｂ、２１ｂを係合させているので、防虫ネット２１を曲げながら係合することを不要にでき、係合の作業性を良好にできる。
【００７８】
［他の実施形態］
本発明は上記実施形態の記載内容に限定されず、上記各実施形態の特徴的構造をそれぞれ任意に組み合わせるようにしてもよい。また、例えば次のように実施しても良い。
【００７９】
上記各実施形態では、防虫ネット用巻取ドラム２３により防虫ネット２１を巻き取って防虫ネット収納ケース２２に収納するロール式を採用しているが、防虫ネット２１を折りたたんで防虫ネット収納ケース２２に収納する折りたたみ式を採用してもよい。また、本発明に係るシャッタカーテン１１および防虫ネット２１は、上下方向に開閉作動するものに限られず、例えば左右に開閉作動するものであってもよい。
【００８０】
上記各実施形態では、シャッタカーテン１１をガイドするガイドレール１６は防虫ネット２１をガイドするガイドレールを兼用しているが、シャッタカーテン１１と防虫ネット２１とを連結して連動可能に構成しさえすれば、シャッタカーテン１１のガイドレール１６とは別に防虫ネット２１のガイドレールを備えるように構成してもよい。また、シャッタカーテン１１をガイドするガイドレール１６が防虫ネット２１をガイドするガイドレールを兼用し、シャッタカーテン１１の外表面と防虫ネット２１の外表面とを同一面上に配置しさえすれば、シャッタカーテン１１と防虫ネット２１とは連結していなくてもよい。
【００８１】
上記各実施形態に係るシャッタ装置１０は手動式であるが、電動モータ等のアクチュエータによりシャッタカーテン１１を開閉作動させる電動式であってもよい。
【図面の簡単な説明】
【００８２】
【図１】第１の実施形態に係るシャッタ装置を示す斜視図。
【図２】図１のシャッタ装置が建物に取り付けられた状態を示す縦断面図。
【図３】図１のシャッタ装置のシャッタ全閉状態を示す斜視図。
【図４】第２の実施形態に係るシャッタ装置を示す斜視図。
【図５】図４のシャッタ装置が建物に取り付けられた状態を示す縦断面図。
【図６】第３の実施形態に係るシャッタ装置を示す一部断面図。
【図７】第４の実施形態に係るシャッタ装置を示す一部断面図。
【符号の説明】
【００８３】
１…建物、２…壁体、２ａ…開口部、７ｂ…面ファスナ（下端側係合手段）、１０…シャッタ装置、１１…シャッタカーテン、１２…シャッタ収納ケース（シャッタカーテン収納部）、１２ａ…収容部、１５…水切り板（延出部）、１５ａ…面ファスナ（上端側係合手段）、１６…ガイドレール、２１…防虫ネット（防虫ネット装置）、２１ａ…面ファスナ（上端側係合手段、下端側係合手段）、２２ａ…引出口、２２…防虫ネット収納ケース（防虫ネット収納部、防虫ネット装置）、２３…防虫ネット用巻取ドラム、２４…コイルスプリング（付勢手段）、２５…リップ（弾性部材）。
【図１】
2008202329.tif 000003
【図２】
2008202329.tif 000004
【図３】
2008202329.tif 000005
【図４】
2008202329.tif 000006
【図５】
2008202329.tif 000007
【図６】
2008202329.tif 000008
【図７】
2008202329.tif 000009